(57)【特許請求の範囲】
【請求項１】
リム内に形成され、洗浄水により便鉢を洗浄可能なリム通水路を有する便器本体と、
該便器本体にベースプレートを介して固定され、該洗浄水を供給可能な給水管と接続された開閉弁と、
該便器本体の壁面に隠蔽され、該開閉弁と接続されて該洗浄水を該リム通水路に供給可能なリム用導管と、を備えたタンクレス便器であって、
前記リム用導管は前記壁面に固定されているとともに、該リム用導管と前記開閉弁とは互いに挿着可能に設けられ、
前記リム用導管は、主体をなすとともに内部に通路をもつ導管本体と、該導管本体の軸端に同軸的かつ一体的に接続されたスパッドとから構成され、該スパッドが該壁面に固定されているとともに、該スパッドと前記開閉弁とが互いに挿着可能に設けられていることを特徴とするタンクレス便器。
【請求項２】
トラップ部に設けられ、該トラップ部に洗浄水を噴出して強制的にサイホン効果を生じさせるジェットノズルを有する便器本体と、
該便器本体にベースプレートを介して固定され、該洗浄水を供給可能な給水管と接続された開閉弁と、
該便器本体の壁面に隠蔽され、該開閉弁と接続されて該洗浄水を該ジェットノズルに供給可能なジェット用導管と、を備えたタンクレス便器であって、
前記ジェット用導管は前記壁面に固定されているとともに、該ジェット用導管と前記開閉弁とは互いに挿着可能に設けられ、
前記ジェット用導管は、主体をなすとともに内部に通路をもつ導管本体と、該導管本体の軸端に同軸的かつ一体的に接続されたスパッドとから構成され、該スパッドが該壁面に固定されているとともに、該スパッドと前記開閉弁とが互いに挿着可能に設けられていることを特徴とするタンクレス便器。
【発明の詳細な説明】
【０００１】
【発明の属する技術分野】
本発明は、便器洗浄タンクを有さず、水道管等の給水管から供給される洗浄水を便器本体に直接供給するタンクレス便器に関する。
【０００２】
【従来の技術】
一般的な水洗式便器では、水道管等の給水管から供給される洗浄水をロータンク等の便器洗浄タンクに一旦貯留し、その便器洗浄タンクに貯留した洗浄水により便鉢等の便器本体の洗浄を行う。しかし、かかる一般的な水洗式便器では、便器洗浄タンクの設置スペースが必要とされる。このため、近年、スペースの有効活用等の観点から、便器本体にベースプレートを介して開閉弁を固定し、開閉弁の開弁により、給水管から供給される洗浄水を便器本体に直接供給可能なタンクレス便器が開発されつつある（特開平３−２５３６３０号公報）。
【０００３】
かかるタンクレス便器においては、開閉弁が開弁すると、給水管から供給された洗浄水は、便器本体におけるリム内に形成されたリム通水路と、トラップ部に設けられたジェットノズルとの双方に供給される。リム通水路を流れた洗浄水は便鉢に噴出され、これにより便鉢の洗浄等が可能になる。また、ジェットノズルからトラップ部に噴出された洗浄水はそのトラップ部に強制的にサイホン効果を生じさせる。こうして、便器本体の洗浄が行われる。
【０００４】
ここで、このタンクレス便器では、洗浄水が大きな速度でリム通水路内を流れ、これにより便鉢の洗浄能力を確保すべく、開閉弁と接続されたリム用導管を採用している。そして、美観向上の観点から、そのリム用導管を壁面に隠蔽している。また、かかるタンクレス便器では、洗浄水が大きな速度でジェットノズルから噴出され、これにより効果的なサイホン効果の発生を確保すべく、開閉弁と接続されたジェット用導管を採用しており、美観向上の観点からそのジェット用導管を壁面に隠蔽している。
【０００５】
また、このタンクレス便器では、精度よい外形寸法を確保する必要性から便器本体と開閉弁との間にベースプレートを介在させている。そして、リム用導管及びジェット用導管は、組み付けの容易性を考慮し、そのベースプレートを介して開閉弁と挿着可能に設けられている。
こうして、このタンクレス便器では、大きな洗浄能力と、外形を含む美観と、組み付けの容易性とを確保している。
【０００６】
【発明が解決しようとする課題】
しかし、上記従来のタンクレス便器では、リム用導管の一端を便器本体のリム通水路に開口し、その途中を便器本体の壁面から露出させ、その他端をベースプレートに固定している。そして、ベースプレートに固定された開閉弁にこのリム用導管の他端を挿着可能となしている。同様に、このタンクレス便器では、ジェット用導管の一端を便器本体に固定されたジェットノズルに固定し、その他端をやはりベースプレートに固定している。そして、ベースプレートに固定された開閉弁にやはりこのジェット用導管の他端を挿着可能となしている。
【０００７】
このため、このタンクレス便器では、リム用導管及びジェット用導管がベースプレートを介して便器本体に固定されることから、組み付けの際、便器本体にベースプレートを固定するまでリム用導管及びジェット用導管を安定して便器本体に設けることができない。このため、かかるタンクレス便器では、組み付けの容易性を十分に発揮できないという欠点がある。
【０００８】
本発明は、上記従来の実情に鑑みてなされたものであって、大きな洗浄能力と、外形を含む美観と、組み付けの確実な容易性の確保とを実現することを解決すべき課題としている。
【０００９】
【課題を解決するための手段】
第１発明のタンクレス便器は、リム内に形成され、洗浄水により便鉢を洗浄可能なリム通水路を有する便器本体と、
該便器本体にベースプレートを介して固定され、該洗浄水を供給可能な給水管と接続された開閉弁と、
該便器本体の壁面に隠蔽され、該開閉弁と接続されて該洗浄水を該リム通水路に供給可能なリム用導管と、を備えたタンクレス便器であって、
前記リム用導管は前記壁面に固定されているとともに、該リム用導管と前記開閉弁とは互いに挿着可能に設けられ、
前記リム用導管は、主体をなすとともに内部に通路をもつ導管本体と、該導管本体の軸端に同軸的かつ一体的に接続されたスパッドとから構成され、該スパッドが該壁面に固定されているとともに、該スパッドと前記開閉弁とが互いに挿着可能に設けられていることを特徴とする。
【００１０】
第１発明のタンクレス便器では、リム用導管を便器本体の壁面に固定し、ベースプレートに固定される開閉弁にこのリム用導管を挿着可能となしている。このため、組み付けの際、便器本体にベースプレートを固定する前でもリム用導管を安定して便器本体に設けることができることから、組み付けの容易性を十分に発揮できる。
【００１１】
また、第１発明のタンクレス便器では、開閉弁と接続されたリム用導管を採用しているため、洗浄水が大きな速度でリム通水路内を流れ、これにより便鉢の洗浄能力を確保している。そして、そのリム用導管を壁面に隠蔽しているため、美観が向上している。また、便器本体と開閉弁との間にベースプレートを介在させていることから、精度よい外形寸法を確保している。
【００１２】
したがって、第１発明のタンクレス便器では、大きな洗浄能力と、外形を含む美観と、組み付けの確実な容易性の確保とを実現することができる。
第２発明のタンクレス便器は、トラップ部に設けられ、該トラップ部に洗浄水を噴出して強制的にサイホン効果を生じさせるジェットノズルを有する便器本体と、
該便器本体にベースプレートを介して固定され、該洗浄水を供給可能な給水管と接続された開閉弁と、
該便器本体の壁面に隠蔽され、該開閉弁と接続されて該洗浄水を該ジェットノズルに供給可能なジェット用導管と、を備えたタンクレス便器であって、
前記ジェット用導管は前記壁面に固定されているとともに、該ジェット用導管と前記開閉弁とは互いに挿着可能に設けられ、
前記ジェット用導管は、主体をなすとともに内部に通路をもつ導管本体と、該導管本体の軸端に同軸的かつ一体的に接続されたスパッドとから構成され、該スパッドが該壁面に固定されているとともに、該スパッドと前記開閉弁とが互いに挿着可能に設けられていることを特徴とする。
【００１３】
第２発明のタンクレス便器では、ジェット用導管を便器本体の壁面に固定し、ベースプレートに固定される開閉弁にこのジェット用導管を挿着可能となしている。このため、組み付けの際、便器本体にベースプレートを固定する前でもジェット用導管を安定して便器本体に設けることができることから、組み付けの容易性を十分に発揮できる。
【００１４】
また、第２発明のタンクレス便器では、開閉弁と接続されたジェット用導管を採用しているため、洗浄水が大きな速度でジェットノズルから噴出され、これにより効果的なサイホン効果の発生を確保している。そして、そのジェット用導管を壁面に隠蔽しているため、美観が向上している。また、便器本体と開閉弁との間にベースプレートを介在させていることから、精度よい外形寸法を確保している。
【００１５】
したがって、第２発明のタンクレス便器でも、大きな洗浄能力と、外形を含む美観と、組み付けの確実な容易性の確保とを実現することができる。
【００１６】
【発明の実施の形態】
以下、本発明を具体化した実施形態１、２を図面を参照しつつ説明する。
（実施形態１）
実施形態１のタンクレス便器は、便器洗浄タンクを有さないタンクレス方式のものである。図１に示すように、タンクレス便器の便器本体１は陶器製であり、排泄物を受けるボウル部１０をもつ便鉢１１と、ボウル部１０の上部周縁に巡らされたリム通水路１２を有するリム１３と、ボウル部１０の底に連通し、排泄物を流すトラップ部１４とを有している。トラップ部１４の入口には、サイフォン作用を生じさせるジェットノズル１５が備えられている。なお、便蓋及び便座の図示は省略している。
【００１７】
便器本体１には、リム通水路１２に給水するリム用導管２と、ジェットノズル１５に給水するジェット用導管３とが設けられている。
便器本体１の後部の上部側にはリム導水路１６が空洞状に内設されている。リム導水路１６は、図２に示すように、通孔１７を介してリム通水路１２に連通している。リム導水路１６は、便器本体１の壁面を構成する上壁面１８及び側壁面１９により隠蔽されており、通常の形態では外部から視認できないようにされている。
【００１８】
便器本体１の後部には、リム用導管２を取り付けるための第１取付部４１が設けられているとともに、ジェット用導管３を取り付けるための第２取付部４２が設けられている。第１取付部４１には、図３〜５に示すように、第１取付孔４１ａが前後方向に向けて貫通して形成されており、第２取付部４２には、図６に示すように、第２取付孔４２ａが上下方向に貫通して形成されている。
【００１９】
図３及び図４に示すように、開閉弁５を便器本体１に取り付ける前の状態では、便器本体１の第１取付部４１の壁面である第１取付壁面４１ｂは後方で露出している。また、図６に示すように、便器本体１の第２取付部４２の壁面である第２取付壁面４２ｂは後部上方で露出している。
便器本体１の後部には、図１に示すように、横プレート部４３ｒ及び縦プレート部４３ｔをもつベースプレート４３が取付ボルト４４により便器本体１に脱着可能に固定されている。給水装置として機能する開閉弁５は、ベースプレート４３の縦プレート部４３ｔに脱着可能に固定されている。なお、開閉弁５等はカバー４５により隠蔽される。
【００２０】
トイレの室壁には水道管等の給水管４７が設けられており、給水管４７の端部には、開閉操作部４８ｘをもつ止水栓４８が取り付けられている。止水栓４８と開閉弁５の入水ポート５０とは、接続管として機能する可撓性をもつフレキシブルホース４９により接続されている。このため、給水管４７の洗浄水は止水栓４８を介して開閉弁５の入水ポート５０に供給される。
【００２１】
開閉弁５は、図２に示すように、リム用開閉弁５１とこれと隣接するジェット用開閉弁５２とで構成されている。リム用開閉弁５１及びジェット用開閉弁５２は、図示はしないものの、それぞれ互いに連通する弁室と、弁室に開閉可能に設けられた弁機構と、弁機構を開閉させる駆動機構とをもつ。このため、開閉弁５の入水ポート５０に供給された洗浄水は、リム用開閉弁５１とジェット用開閉弁５２との双方に供給される。開閉弁５の上部には、図１に示すように、逆流防止用のバキュームブレーカ５３が設けられている。バキュームブレーカ５３には、リム通水路１２の最上面よりも上方で大気と連通する大気孔５４が形成されている。これによりバキュームブレーカ５３の上流側における流路の負圧化による洗浄水の逆流が抑えられる。
【００２２】
図４及び図５に示すように、リム用導管２は、主体をなすとともに内部に通路２ｄをもつ導管本体２ａと、この導管本体２ａの軸端に同軸的かつ一体的に接続されたスパッド６とから構成されている。
スパッド６は、比較的厚肉の短軸略円柱状をなす径大部６０と、この径大部６０の一端側で導管本体２ａと同軸的に延設された円筒パイプ形状をなす挿入端部６１とで構成されている。
【００２３】
径大部６０は、その外周部に挿入端部６１から離れるにつれて外径が拡径する円錐面状をなす傾斜面６０ａと、挿入端部６１と傾斜面６０ａとの間に形成された雄ねじ６０ｃとをもつ。径大部６０の中央域には断面円形状の嵌合孔６５が同軸的に形成されている。嵌合孔６５は、平坦な内周面６５ａと段状の位置決め部６５ｃとをもつ。径大部６０の嵌合孔６５に導管本体２ａの軸端が圧入されて一体的に固定されている。ここで、導管本体２ａの軸端は位置決め部６５ｃに当接して位置決めされている。
【００２４】
挿入端部６１は、導管本体２ａの通路２ｄと連通するとともに、通路２ｄの内径と同一の内径を備えた中央孔６１ａをもつ筒形状をなし、径大部６０よりも外径が小さくされている。また、挿入端部６１の外周先端側にはリング溝６１ｃが形成されており、リング溝６１ｃには弾性材料で形成されたシール部材として機能するリング形状をなすＯリング６６が設けられている。挿入端部６１の外径は、リム用開閉弁５１の第１出水ポート５１ｃの内径と対応するように設定されている。
【００２５】
また、締結部材として機能する座付きナット６２と、弾性材料で形成されたシール部材として機能するスカート状をなす第１パッキン６３と、弾性材料で形成されたシール部材として機能する平板リング状をなす第２パッキン６４とが用意されている。座付きナット６２は、径外方向にリング形状に延設された座部６２ｋと、内周に形成され、径大部６０の雄ねじ６０ｃに螺合する雌ねじ６２ｈとをもつ。
【００２６】
リム用導管２は便器本体１の後部における第１取付部４１の第１取付壁面４１ｂに脱着可能に固定されている。こうしてリム用導管２を第１取付壁面４１ｂに固定する形態について説明する。まず、スパッド６の径大部６０の傾斜面６０ａに第１パッキン６３をあてがった状態とし、径大部６０を矢印Ｓ１方向から第１取付孔４１ａに嵌める。この状態で、第２パッキン６４を矢印Ｓ２方向から径大部６０の外周に嵌め、座付きナット６２の雌ねじ６２ｈを径大部６０の雄ねじ６０ｃに螺合させ、座付きナット６２を締結する。これによりリム用導管２は便器本体１に脱着可能に固定される。
【００２７】
このようにリム用導管２が便器本体１に固定された状態において、第１、２パッキン６３、６４の圧縮変形によりスパッド６の径大部６０と第１取付孔４１ａとの封止性、ひいてはリム用導管２の封止性が確保される。
また、図６に示すように、他の導管であるジェット用導管３は、主体を占めるとともに内部に通路３ｄをもつ導管本体３ａと、この導管本体３ａの軸端に同軸的かつ一体的に接続されたスパッド６とから構成されている。スパッド６は、図４に示すスパッド６と同種のものであり、同一の部位には同一の符号を付する。
【００２８】
スパッド６の径大部６０の嵌合孔６５には導管本体３ａの軸端が圧入されて固定されている。ジェット用導管３は、便器本体１の後部における第２取付部４２の第２取付壁面４２ｂに脱着可能に固定されている。
ジェット用導管３を第２取付壁面４２ｂに固定する形態はリム用導管２を第１取付部４１ｂに固定する場合と同様である。このようにジェット用導管３が便器本体１に固定された状態では、第１、２パッキン６３、６４の圧縮変形により、スパッド６の径大部６０と第２取付孔４２ａとの封止性、ひいてはジェット用導管３の封止性が確保される。
【００２９】
そして、この状態では、図４に示すように、スパッド６の挿入端部６１は、第１取付壁面４１ｂよりも外方、つまり便器本体１の後方に向けて突出している。また、図６に示すように、スパッド６の挿入端部６１は、便器本体１の第２取付部４２の第２取付壁面４２ｂよりも上方に向けて突出している。一方、開閉弁５はベースプレート４３の縦プレート部４３ｔに固定されている。
【００３０】
このため、スパッド６の挿入端部６１に向かって、ベースプレート４３とともにリム用開閉弁５１及びジェット用開閉弁５２を便器本体１の後方側から移動させる。つまり、図４に示すように、矢印Ｓ３方向から挿入端部６１の軸長方向に沿ってリム用開閉弁５１を挿入するとともに、図６に示すように、同様に挿入端部６１の軸長方向に沿ってジェット用開閉弁５２を挿入する。これにより、図５に示すように、リム用開閉弁５１の第１出水ポート５１ｃを挿入端部６１に嵌合して挿着する。また、図６に示すように、ジェット用開閉弁５２の第１出水ポート５２ｃを挿入端部６１に嵌合して挿着する。
【００３１】
図５及び図６に示すように、第１出水ポート５１ｃ、５２ｃの入口には、外側に向かうにつれて内径が拡径する円錐面状のガイド面５６が形成されている。このため、上記挿入の際、ガイド面５６によりＯリング６６が良好に弾性変形され、Ｏリング６６の損傷が抑えられる。
この状態において、第１出水ポート５１ｃ、５２ｃの内壁面が挿入端部６１の外周面に嵌合されて対面しているとともに、Ｏリング６６はリム用開閉弁５１又はジェット用開閉弁５２の第１出水ポート５１ｃ、５２ｃの内壁面により弾性変形され、スパッド６の挿入端部６１とリム用開閉弁５１又はジェット用開閉弁５２の第１出水ポート５１ｃ、５２ｃとの間のシール性が確保される。
【００３２】
この後、図１に示すように、取付ボルト４４により便器本体１にベースプレート４３を脱着可能に固定する。これによりリム用導管２とリム用開閉弁５１との連結が完了し、ジェット用導管３とジェット用開閉弁５２との連結が完了する。
こうして、このタンクレス便器では、リム用導管２を便器本体１の第１取付壁面４１ｂに固定し、ベースプレート４３に固定される開閉弁５のリム用開閉弁５１にこのリム用導管２を挿着可能となしている。また、ジェット用導管３を便器本体１の第２取付壁面４２ｂに固定し、ベースプレート４３に固定される開閉弁５のジェット用開閉弁５２にこのジェット用導管３を挿着可能となしている。このため、組み付けの際、便器本体１にベースプレート４３を固定する前でもリム用導管２及びジェット用導管３を安定して便器本体１に設けることができることから、組み付けの容易性を十分に発揮できる。
【００３３】
こうして得られたタンクレス便器では、給水管４７の洗浄水は、止水栓４８、フレキシブルホース４９を経て、開閉弁５の入水ポート５０に供給される。開閉弁５のリム用開閉弁５１及びジェット用開閉弁５２は、便鉢１１の洗浄を行おうとする使用者のスイッチ操作がない限り、共に閉弁しており、給水管４７からの洗浄水はタンクレス便器へは供給されない。
【００３４】
便器本体１の洗浄を行うときには、使用者のスイッチ操作に基づいて、リム用開閉弁５１が開弁する。これにより入水ポート５０とリム用開閉弁５１の第１出水ポート５１ｃとが連通するため、給水管４７の洗浄水は第１出水ポート５１ｃから吐出され、リム用導管２を介して便器本体１のリム通水路１２に供給される。ここで、図２に示すように、リム用導管２は幅広なリム導水路１６内に収容されており、リム用導管２のスパッド６と反対側の部位である他端部２ｃは、通孔１７を貫通してリム通水路１２に開口している。そして、リム用導管２の他端部２ｃには、先端側に開いて洗浄水を右回りに吐出可能な第１開口２ｅと、側面側に開いて洗浄水を左回りに吐出可能な第２開口２ｆとが形成されている。このため、リム用開閉弁５１の第１出水ポート５１ｃからリム用導管２に洗浄水が供給されると、その洗浄水は、第１開口２ｅから図２において右回りに吐出されるとともに、第２開口２ｆから図２において左回りに吐出される。こうして、ボウル部１０の内壁面が洗浄される。つまり、このタンクレス便器では、リム用開閉弁５１と接続されたリム用導管２を採用しているため、洗浄水が大きな速度でリム通水路１２内を流れ、これにより便鉢１１の洗浄能力を確保している。
【００３５】
また、ジェット用開閉弁５２が開弁すると、入水ポート５０とジェット用開閉弁５２の第２出水ポート５２ｃとが連通するため、ジェット用開閉弁５２の第２出水ポート５２ｃから吐出された洗浄水は、ジェット用導管３を介してジェットノズル１５に供給される。このため、このタンクレス便器では、洗浄水が大きな速度でジェットノズル１５から噴出され、これにより効果的なサイホン効果の発生を確保している。こうして、排泄物を便器本体１から排出する。
【００３６】
そして、このタンクレス便器では、リム用導管２を第１取付壁面４１ｂに隠蔽し、ジェット用導管３を第２取付壁面４２ｂに隠蔽しているため、美観が向上している。
また、このタンクレス便器では、便器本体１と開閉弁５との間にベースプレート４３を介在させていることから、精度よい外形寸法を確保している。
【００３７】
したがって、このタンクレス便器では、大きな洗浄能力と、外形を含む美観と、組み付けの確実な容易性の確保とを実現することができる。
（実施形態２）
実施形態２のタンクレス便器は実施形態１のタンクレス便器と基本的には同様の構成であり、同様の作用効果を奏する。以下、異なる部分を中心として説明する。
【００３８】
図７及び図８に示すように、リム用導管２Ｂは、主体をなす円筒形状のパイプで形成された導管本体２ａと、この導管本体２ａと一体的に成形された比較的厚肉の四角柱状をなすスパッド６Ｂとで構成されている。
スパッド６Ｂは、４個の平坦な嵌合面６ｋと、この嵌合面６ｋから外方向に突出した４個の係合突起６ｓとをもつ。各係合突起６ｓは、挿入端部６１のほぼ軸直角方向に立設された位置決め用の当接面６ｔをもつ。スパッド６Ｂの先端側には、スパッド６Ｂの一端側に同軸的かつ一体的に延設された挿入端部６１が形成されている。挿入端部６１には雄ねじ６ｃが形成されている。
【００３９】
また、挿入端部６１の外周先端側にはリング溝６１ｃが形成されており、リング溝６１ｃには、弾性材料で形成されたシール部材として機能するリング形状をなすＯリング６６が設けられている。締結部材として機能する袋状のナット２８は、リング形状に延設された袋部２８ｋと、内周部に形成され挿入端部６１の雄ねじ６ｃに螺合する雌ねじ２８ｈとをもつ。
【００４０】
リム用導管２Ｂを便器本体１の後部における第１取付部４１の第１取付壁面４１ｂに固定する形態について説明する。実施形態２では、第１取付孔４１ａはスパッド６Ｂと整合するように四角穴形状とされている。これによりリム用導管２Ｂの回り止めを図り得る。まず、図８に示すように、リム用導管２Ｂを構成するスパッド６Ｂを矢印Ｓ１’’方向から便器本体１の第１取付孔４１ａに嵌める。この状態では、第１取付孔４１ａの内壁面とスパッド６Ｂの嵌合面６ｋとが直接対面するとともに、スパッド６Ｂの当接面６ｔが第１取付部４１の壁面４１ｐに当接する。これによりリム用導管２Ｂの導管本体２ａはその軸長方向において位置決めされる。次いで、弾性材料で形成されたシール部材として機能する第３パッキン２９を嵌めたナット２８を用い、ナット２８の雌ねじ２８ｈをスパッド６Ｂの雄ねじ６ｃに螺合させて締結する。これによりリム用導管２Ｂの導管本体２ａは、便器本体１の第１取付孔４１ａに脱着可能に固定される。
【００４１】
この状態において、圧縮変形された第３パッキン２９により第１取付孔４１ａのシール性が確保される。また、リム用導管２Ｂの挿入端部６１は、前述と同様、便器本体１の第１取付壁面４１ｂよりも外方、つまり後方に向けて突出している。このため、この挿入端部６１に向かって、ベースプレート４３とともにリム用開閉弁５１を後方側からつまり矢印Ｓ３’’方向から移動させる。これにより、リム用開閉弁５１の第１出水ポート５１ｃをリム用導管２Ｂの挿入端部６１に挿入する。ジェット用導管及びジェット用開閉弁も同様である。この後、便器本体１にベースプレート４３を取付ボルト４４により固定する。
【００４２】
したがって、実施形態２においても実施形態１と同様の作用効果を奏することができる。
【図面の簡単な説明】
【図１】実施形態１に係り、タンクレス便器の便器本体等を示す断面図である。
【図２】実施形態１に係り、タンクレス便器の便器本体等を一部断面にして示す平面図である。
【図３】実施形態１に係り、タンクレス便器の便器本体、リム用導管等を示す断面図である。
【図４】実施形態１に係り、リム用開閉弁とリム用導管とを挿着する前の要部を断面にして示す側面図である。
【図５】実施形態１に係り、リム用開閉弁とリム用導管とを挿着した後の要部を断面にして示す側面図である。
【図６】実施形態１に係り、ジェット用開閉弁とジェット用導管とを挿着した後の要部を断面にして示す側面図である。
【図７】実施形態２に係り、リム用導管等を示す分解斜視図である。
【図８】実施形態２に係り、リム用開閉弁とリム用導管とを挿着する前の要部を断面にして示す側面図である。
【符号の説明】
１…便器本体
１１…便鉢
１２…リム通水路
１３…リム
１４…トラップ部
１５…ジェットノズル
４３…ベースプレート
４７…給水管
５…開閉弁（５１…リム用開閉弁、５２…ジェット用開閉弁）
２、２Ｂ…リム用導管（２ａ…導管本体、６、６Ｂ…スパッド）
３…ジェット用導管（３ａ…導管本体、６…スパッド）
４１ｂ、４２ｂ…壁面（４１ｂ…第１取付壁面、４２ｂ…第２取付壁面）
【図１】
0003764014.tif 000002
【図２】
0003764014.tif 000003
【図３】
0003764014.tif 000004
【図４】
0003764014.tif 000005
【図５】
0003764014.tif 000006
【図６】
0003764014.tif 000007
【図７】
0003764014.tif 000008
【図８】
0003764014.tif 000009